(57)【要約】【課題】  複数の無線通信規格に準拠した装置が、同じ周波数帯域で通信し互いに混信や妨害することで通信品質が悪化しやすい環境でも、良好な通信環境を確保することができる無線通信用補助具を提供する。【解決手段】  第１の無線通信規格に準拠して操作される第１の無線通信装置（カメラ２０）と、前記第１の無線通信規格に準拠して前記第１の無線通信装置を操作する第２の無線通信装置（スマートフォン３０）との通信を補助する無線通信用補助具１であって、  第１の端部２０１が前記第１の無線通信装置に近接して配置され、第２の端部２０２が前記第２の無線通信装置に近接して配置されて用いられる電線２００と、  前記電線の前記第２の端部側に、前記第２の端部２０２を保持し前記第２の無線通信装置を収納するための防磁ケース６０と、を有する無線通信用補助具１。【選択図】  図１
2018014665.tif 000002
【特許請求の範囲】
【請求項１】
第１の無線通信規格に準拠して操作される第１の無線通信装置と、前記第１の無線通信規格に準拠して前記第１の無線通信装置を操作する第２の無線通信装置との通信を補助する無線通信用補助具であって、
第１の端部が前記第１の無線通信装置に近接して配置され、第２の端部が前記第２の無線通信装置に近接して配置されて用いられる電線と、
前記電線の前記第２の端部側に、前記第２の端部を保持し前記第２の無線通信装置を収納するための防磁ケースと、を有する無線通信用補助具。
【請求項２】
前記電線の第１の端部側に、前記第１の無線通信装置を保持する保持部材を有する請求項１記載の無線通信用補助具。
【請求項３】
前記保持部材が、前記第１の無線通信装置を収納する防磁性を有するハウジングである請求項２記載の無線通信用補助具。
【請求項４】
前記保持部材が、前記第１の無線通信装置を水密状態で収納する水中用のハウジングである請求項２または３記載の無線通信用補助具。
【請求項５】
前記第１の無線通信装置を先端部に位置させる棒状支持用部材を備えた請求項１〜４のいずれかに記載の無線通信用補助具。
【請求項６】
前記第１の無線通信装置が、カメラである請求項１〜５のいずれかに記載の無線通信用補助具。
【請求項７】
前記第２の無線通信装置が、多機能携帯通信端末である請求項１〜６のいずれかに記載の無線通信用補助具。
【請求項８】
前記防磁ケースが、高周波電磁波シールドフィルムを用いたケースである請求項１〜７のいずれかに記載の無線通信用補助具。
【請求項９】
前記電線は、同軸ケーブルにより形成されている請求項１〜８のいずれかに記載の無線通信用補助具
【請求項１０】
前記防磁ケースに、前記第２の無線通信装置が有する第１コネクタに嵌合する第２コネクタと、前記第２コネクタと導通した前記電線の前記第２の端部を嵌合する第３コネクタが設けられている請求項１〜９のいずれかに記載の無線通信用補助具。
【請求項１１】
第１の端部と第２の端部を有する電線と、前記電線の前記第２の端部側に前記第２の端部を保持し無線通信装置を収納するための防磁ケースとを有する無線通信用補助具を用いる無線通信方法であって、
前記無線通信用補助具の前記電線の第１の端部側に、第１の無線通信規格に準拠して操作される第１の無線通信装置を近接して配置する段階と、
前記無線通信用補助具の前記防磁ケースに、前記第１の無線通信規格に準拠して前記第１の無線通信装置を操作する第２の無線通信装置を収納する段階と、
前記電線を介して、前記第２の無線通信装置の無線信号を送信し、前記第１の無線通信装置を操作する段階とを有する無線通信方法。
【請求項１２】
第１の無線通信規格に準拠して操作される第１の無線通信装置と、
前記第１の無線通信規格に準拠して前記第１の無線通信装置を操作する第２の無線通信装置と、
第１の端部が前記第１の無線通信装置に近接して配置され、第２の端部が前記第２の無線通信装置に近接して配置されて用いられる電線と、前記電線の前記第２の端部側に、前記第２の端部を保持し、前記第２の無線通信用補助具を収納するための防磁ケースとを有する無線通信用補助具とを有する無線通信システム。
【発明の詳細な説明】
【技術分野】
【０００１】
本発明は、良好な通信環境を得ることができる無線通信用補助具および無線通信方法、無線通信システムに関するものである。
【背景技術】
【０００２】
２台の無線通信装置が互いに離れているときには、無線信号により通信される。例えば、スマートフォンやタブレット型コンピュータなどの操作装置により、ＷｉＦｉ（登録商標）やＢＬＵＥＴＯＯＴＨ（登録商標）に代表されるような無線通信を用いて、プリンタやビデオカメラ、スチルカメラを操作することが、一般的となっている。
【０００３】
例えば、特許文献１に記載の撮影システムと人工光源及びカメラは、人工光源に無線タグを搭載し、無線タグから人工光源の光源情報（例えば、色温度情報）を発信して、無線タグ受信機４０を備えたカメラが、人工光源の光源情報を受信して、無線タグから取得した光源情報に基づいてホワイトバランスの設定値を決定するというものである。
このように、送信装置から離れた位置にある受信装置へ情報を伝送するときには無線通信により行われる。
【先行技術文献】
【特許文献】
【０００４】
【特許文献１】特開２００８−３１２２５３号公報
【特許文献２】特開平９−５１４５３号公報
【特許文献３】特開２００６−１４５９８３号公報
【発明の概要】
【発明が解決しようとする課題】
【０００５】
スマートフォンやタブレット、ノートブック型のパーソナルコンピュータだけでなく、プリンタ、ビデオカメラなどにも、無線通信機能が備えられており、スマートフォンやタブレットから、プリンタへ直接印刷する情報を送信したり、ビデオカメラを操作したりできるようになっている。また、無線通信のためには、様々な装置の操作性を高めるためにＷｉＦｉ（登録商標）やＢＬＵＥＴＯＯＴＨ（登録商標）のような無線通信規格が規格化されている。
しかし、複数の無線通信規格に準拠した装置が、同じ周波数帯域で通信すると、互いが混信したり、妨害しあったりして、通信品質が悪化する。また、操作者も、操作用の装置に無線通信規格に準拠した通信対象となる装置が多数表示され、適切な通信環境を速やかに設定しにくい場合がある。
【０００６】
そこで本発明は、良好な通信環境を確保することができる無線通信用補助具および無線通信方法を提供することを目的とする。
【課題を解決するための手段】
【０００７】
本発明者は、上記課題を解決すべく鋭意研究を重ねた結果、下記の発明が上記目的に合致することを見出し、本発明に至った。
【０００８】
本発明の無線通信用補助具は、第１の無線通信規格に準拠して操作される第１の無線通信装置と、前記第１の無線通信規格に準拠して前記第１の無線通信装置を操作する第２の無線通信装置との通信を補助する無線通信用補助具であって、第１の端部が前記第１の無線通信装置に近接して配置され、第２の端部が前記第２の無線通信装置に近接して配置されて用いられる電線と、前記電線の前記第２の端部側に、前記第２の端部を保持し前記第２の無線通信装置を収納するための防磁ケースと、を有することを特徴とする。
【０００９】
また、本発明の無線通信方法は、第１の端部と第２の端部を有する電線と、前記電線の前記第２の端部側に前記第２の端部を保持し無線通信装置を収納するための防磁ケースとを有する無線通信用補助具を用いる無線通信方法であって、前記無線通信用補助具の前記電線の第１の端部側に、第１の無線通信規格に準拠して操作される第１の無線通信装置を近接して配置する段階と、前記無線通信用補助具の前記防磁ケースに、前記第１の無線通信規格に準拠して前記第１の無線通信装置を操作する第２の無線通信装置を収納する段階と、前記電線を介して、前記第２の無線通信装置の無線信号を送信し、前記第１の無線通信装置を操作する段階とを有することを特徴とする。
【００１０】
また、本発明の無線通信システムは、第１の無線通信規格に準拠して操作される第１の無線通信装置と、前記第１の無線通信規格に準拠して前記第１の無線通信装置を操作する第２の無線通信装置と、第１の端部が前記第１の無線通信装置に近接して配置され、第２の端部が前記第２の無線通信装置に近接して配置されて用いられる電線と、前記電線の前記第２の端部側に、前記第２の端部を保持し、前記第２の無線通信用補助具を収納するための防磁ケースとを有する無線通信用補助具とを有することを特徴とする。なお、本願においては、本発明の無線通信用補助具に開示される構成は、本発明の無線通信方法および無線通信システムの対応する構成においても同様に機能するものと理解される。
【００１１】
本発明によれば、第１の無線通信装置のアンテナと、第２の無線通信装置のアンテナとの間に、それぞれの装置に近接して電線の両端部を配置して、その電線を介在させて第１の無線通信装置と第２の無線通信装置とが通信することで、第１の無線通信装置と第２の無線通信装置との間の無線通信は、電線を通して行うことができるので、他の無線信号に妨害されずに通信を行うことができる。
ここで、それぞれの装置に近接とは、電線の第１の端部または第２の端部が、それぞれの装置に直接アンテナに接続されていなくても、十分に安定して通信可能な距離にあることを意味している。従って、電線のそれぞれの端部が、各対応する装置のアンテナに直接接触しておらず、第１の無線通信装置や第２の無線通信装置の筐体や基板、他の部品に接している場合も、近接した状態として含まれる。
【００１２】
前記電線の第１の端部側に、前記第１の無線通信装置を保持する保持部材を有することが望ましい。第１の無線通信装置を保持する保持部材を有していることで、電線の第１の端部と、第１の無線通信装置との位置を、無線通信がより安定する距離とすることができる。
【００１３】
前記保持部材は前記第１の無線通信装置を収納するハウジングであることが望ましい。ハウジングを備えていることで、カメラなどの第１の無線通信装置をハウジングにより、塵や埃、他の物の衝突による傷から、保護することができる。また、ハウジングに収納した状態のカメラを、棒状支持用部材の先端に取り付けることができる。
【００１４】
前記ハウジングは、防磁性（電磁波シールド）を有するものであることが望ましい。電磁波シールドを備えていることで、カメラなどの第１の無線通信装置に他の無線通信装置からの無線信号が到達し難くなるため、更に、カメラと第２の無線通信装置との間の無線通信に、邪魔な他の無線信号が混入することを抑止することができる。
【００１５】
前記ハウジングは、前記第１の無線通信装置が水密状態で収納される水中用のハウジングであることが望ましい。水密状態とすることで、水中撮影などをするときでも、第２の無線通信装置からの無線信号が、第２の無線通信装置のアンテナから空中に送信され、電線を通信路の一部として伝搬し、水密状態で、かつカメラなどの第１の無線通信装置と非接触状態の電線の第１の端部からカメラに到達することができる。また、カメラからの無線信号は、その反対方向の伝搬により第２の無線通信装置に到達する。従って、第２の無線通信装置からカメラまでの間の通信路に水が介在しないため、第２の無線通信装置とカメラとの間での無線信号は、大幅な減衰を伴うことなく、通信することができる。
【００１６】
前記第１の無線通信装置を先端部に位置させる棒状支持用部材を備えていることが望ましい。棒状支持用部材の先端部にカメラなどの第１の無線通信装置が位置していることで、操作者の位置より離れた位置（例えば、低所で棒状部材を伸ばした場所や、高所など）からの撮影や、広い範囲の撮影を可能とすることができる。また、前記棒状支持用部材には、前記電線を前記棒状支持用部材に沿って配線する保持部材が所定間隔ごとに配置されていると、保持部材に電線を保持させることで、電線を棒状支持用部材に沿って配線することができるため、棒状支持用部材を操作するときに電線が邪魔にならない。
【００１７】
前記第１の無線通信装置は、カメラであることが望ましい。このカメラは、前記第２の無線通信装置から前記電線を介在させて送信された無線信号により操作される。よって、第２の無線通信装置側で、任意の位置に配置したカメラの操作を行うことができる。
【００１８】
前記第２の無線通信装置が、多機能携帯通信端末であることが好ましい。スマートフォンなどの多機能携帯通信端末とすることで、任意の位置に移動して操作を行ったり、任意の体勢で操作するなど、操作の自由度が向上する。
【００１９】
前記防磁ケースが、高周波電磁波シールドフィルムを用いたケースであることが望ましい。フィルムを用いたケースとすることで、ケース内に収納する第２の無線通信装置の大きさへの許容性が向上する。また、第２の無線通信装置の操作用ボタンや、操作用のタッチパネルを、そのフィルムを介した状態でも操作することができるため、防磁性を高めるために気密性を上げた状態で操作性も確保することができる。
【００２０】
前記電線は、同軸ケーブルにより形成されていることが望ましい。同軸ケーブルとすることで、同軸ケーブルの網状線を、通信路となる芯線の保護シールドとして機能させることができる。
【００２１】
前記電線の第１の端部には、前記電線の導線部を収納して、水密状態で、前記ハウジングの外側面に接続する接続用部材が設けられていると、電線の第１の端部を水密状態でハウジングの外側面に設けることができる。電線の第１の端部は、ハウジングの外側面に配置されるため、既存のハウジングであっても、容易に、ハウジングに設けることができる。
【００２２】
前記電線の第１の端部が、前記ハウジングを貫通して、前記ハウジング内の空間に突出していると、電線の第１の端部からの無線信号を、水密状態のハウジング内の空間に放出されることができる。
【００２３】
前記電線の第１の端部が、前記ハウジングに埋入されていると、ハウジングに埋入されて水密状態となった電線の第１の端部からの無線信号を、ハウジングを介してハウジング内の空間に放出されることができる。
【００２４】
前記第２の端部に、前記第２の無線通信装置が有する第１コネクタに嵌合する第２コネクタが設けられていることが望ましい。電線の第２の端部に第２の無線通信装置が有する第１コネクタに嵌合する第２コネクタが設けられていると、電線の第２の端部を第２の無線通信装置に接続することができるため、電線を安定させることができる。
【００２５】
前記防磁ケースに、前記第２の無線通信装置が有する第１コネクタに嵌合する第２コネクタと、前記第２コネクタと導通した前記電線の前記第２の端部を嵌合する第３コネクタが設けられていることが望ましい。防磁ケース内の第２の無線通信装置の第１のコネクタを第２のコネクタに嵌合し、さらに、電線の第２の端部を第３コネクタに嵌合することで、第２の無線通信装置と、第２の端部の距離をより通信が安定する位置にすることができ、さらに防磁ケースの外内の通信も、電線を介したもののみより安定して通信させることができる。
【発明の効果】
【００２６】
本発明によれば、第１の無線通信装置と第２の無線通信装置との間の無線通信は、電線を通して行うことで他の無線信号に妨害されずに通信を行うことができ、良好な通信環境を確保することができる。
【図面の簡単な説明】
【００２７】
【図１】本発明の実施の形態１に係る無線通信用補助具を説明するための図である。
【図２】本発明の実施の形態１に係る無線通信用補助具を用いた通信状態の概要を示すための図である。
【図３】本発明の実施の形態１に係る無線通信時の状態を説明するための図である。
【図４】図１に示すスマートフォンにてアプリケーションソフトを起動する前の状態の操作画面の図である。
【図５】図４に示すスマートフォンにてアプリケーションソフトを起動した状態の操作画面の図である。
【図６】本発明の実施の形態２に係る無線通信用補助具を用いた水中撮影用器具を説明するための図である。
【図７】図６に示す水中撮影用器具の接続用部材と電線の第１の端部との分解図である。
【図８】図６に示す電線の第２の端部の拡大図である。
【発明を実施するための形態】
【００２８】
以下に本発明の実施の形態を詳細に説明するが、以下に記載する構成要件の説明は、本発明の実施態様の一例（代表例）であり、本発明はその要旨を変更しない限り、以下の内容に限定されない。
【００２９】
（実施の形態１）
本発明の実施の形態１に係る無線通信用補助具を図面に基づいて説明する。
図１に示す無線通信用補助具１は、電線２００と防磁ケース６０を有している。この電線２００は同軸ケーブルであり、その第１の端部２０１がカメラ２０（第１の無線通信装置）に近接して配置されている。また、電線２００の第２の端部２０２がスマートフォン３０（第２の無線通信装置）に近接して配置されている。
電線２００の両端部（第１の端部２０１，第２の端部２０２）が、それぞれカメラ２０とスマートフォン３０に近接し、カメラ２０のアンテナ（図示せず）に対して非接触の状態であり、スマートフォン３０のアンテナ（図示せず）に対して非接触の状態で、無線通信規格に準拠して通信可能な状態である。
【００３０】
第１の無線通信装置であるカメラ２０は、第１の無線通信規格に準拠してその無線通信信号により操作される機能を有し、静止画や動画を撮影できるデジタルカメラである。
【００３１】
第２の無線通信装置であるスマートフォン３０には、カメラ２０を無線操作するためのアプリケーションソフトがインストールされている。スマートフォン３０は、カメラ２０を無線信号により遠隔操作することができるアンテナ（図示せず）が内蔵されている。また、第２の無線通信装置は、防磁ケース６０に収納されている。
【００３２】
実施の形態１における第１の無線通信規格としては、ＷｉＦｉを採用している。ここで本発明における第１の無線通信規格は、例えば、ＷｉＦｉ（登録商標）やＢＬＵＥＴＯＯＴＨ（登録商標）、または他の無線方式から適宜、第１の無線通信装置と第２の無線通信装置との通信に対応した無線通信規格が採用され得る。第１の無線通信規格としては、特に、このＷｉＦｉ（登録商標）やＢＬＵＥＴＯＯＴＨ（登録商標）のように、比較的、近距離での無線通信用の無線通信規格を採用することが好ましい。また、本発明は、これらの無線通信規格のように、対応する無線通信装置が多い汎用性が高い無線通信規格を採用したときに特に有効である。
【００３３】
実施の形態１における防磁ケース６０は、高周波電磁波シールドフィルムを用いたケースである。この防磁ケース６０は、高周波電磁波シールドフィルムをスマートフォン３０を収容しやすい大きさに袋状にし、スマートフォン３０の収容と取り出しを行いやすいようにチャック部を設けている。また、電線２００の第２の端部がシールドフィルムの袋状部の一部を貫通させて保持される形態となっている。この防磁ケース６０内のスマートフォンは、その操作用のタッチパネルを、防磁ケース６０のフィルムを介した状態でも操作することができ、高い防磁性を維持した状態で操作することができる。
【００３４】
この防磁ケース６０は、前述のように高周波電磁波シールドフィルムを用いて形成されている。この高周波電磁波シールドフィルムは、いわゆる無線周波数とも呼ばれる高周波の電磁波を遮蔽する素材を用いて形成されたフィルムである。このフィルムには金属による薄膜が設けられる（薄膜処理）などの構成により電磁波を遮蔽する機能が付されている。本発明の防磁ケース６０には、スマートフォン３０の画面が視認できるように、少なくとも画面に相当する範囲が透明のものを用いることが好ましい。画面の他の部分は同様に透明でもよいし、より防磁性に優れた素材を用いて構成するなどの変更を行ってもよい。
【００３５】
以上のように構成された本発明の実施の形態１に係る無線通信用補助具１に使用状態について、図面に基づいて説明する。
図２は、本発明の無線通信用補助具を用いたときの通信状態の概要を示す図である。また、図３は、図２に関連する構成で無線通信を行った時のスマートフォン３０に表示される画像を示すものである。
図２は、図１に対応する構成の無線通信用補助具を用いたときの無線通信状態を示す図である。この無線通信用補助具１を用いることで、防磁ケース６０に収納されているスマートフォン３０は、電線２００を介してカメラ２０との間で安定した通信環境を得ることができる。一方で、他の無線通信用の端末であるルーター７１、７２、７３からの通信信号は、防磁ケース６０で遮断されるため、スマートフォン３０はこれらの信号との通信は阻害される。
【００３６】
図３（ａ）は、図２に相当する構成において、防磁ケース６０を用いずに通信設定を行おうとしたときに、スマートフォン３０に表示される画面である。一方、図３（ｂ）は、図３（ａ）と異なり、図２に示すように、防磁ケース６０を含む本発明の無線通信用補助具を用いた構成のときに、スマートフォン３０に表示される画面である。
図３（ａ）に示すように、防磁ケース６０がない状態では、スマートフォン３０が対応している無線通信規格に準拠した多数の通信対象の候補が、スマートフォン３０と通信環境を接続し得る状態にある。この状態では、カメラ２０の選択に時間がかかってしまったり、他の通信との混信の影響でカメラ２０との通信状態は不安定になってしまう。一方、本発明の無線通信用補助具を用いた図３（ｂ）に示す状態では、カメラ２０のみが通信対象として表示されており、設定が容易であり、かつ安定した通信環境の確保が可能である。
【００３７】
図４、５は、この図３（ｂ）の状態から、カメラとの通信設定を確立したあとのスマートフォン３０での操作の例を示すものである。スマートフォン３０を操作する撮影者は、スマートフォン３０を操作装置として機能させるプログラムであるカメラ２０を無線操作するためのアプリケーションソフトを起動する。このアプリケーションソフトの起動は、図４に示すように、操作画面３１に表示されたショートカットアイコン３２をタップする。
ショートカットアイコン３２をタップすることで起動したアプリケーションソフトによって、カメラ２０からの映像が操作画面３１にファインダー３３として表示される（図５参照）。撮影者は、このファインダー３３を見て、気に入ったシーンが映ると、操作画面３１のシャッターボタン３４をタップしてカメラ２０に撮影を指示する。
【００３８】
このようなスマートフォン３０とカメラ２０との間の通信は、無線通信用補助具１の電線２００を介して行われる。
スマートフォン３０からの無線信号は、スマートフォン３０内部のアンテナから空中に送信され、防磁ケース６０に収納されている電線２００の第２の端部２０２から、芯線２１１（図７参照）を通信路の一部として電線２００の第１の端部２０１まで伝搬し、空中を介してカメラ２０の内部のアンテナに到達する。カメラ２０からの無線信号は、その反対方向の伝搬によりスマートフォン３０に到達する。
【００３９】
このようにして、カメラ２０のアンテナと、スマートフォン３０のアンテナとの間に、それぞれの装置に近接させて電線２００の両端部（第１の端部２０１，第２の端部２０２）を配置して、電線２００を介在させてカメラ２０とスマートフォン３０とが通信することで、カメラ２０とスマートフォン３０との間の無線通信は、電線２００を伝送路として行うことができる。また、防磁ケース６０により他の通信対象からの通信は阻害されている。よって、他の無線信号に妨害されずに通信を行うことができ、無線通信用補助具１による良好な通信環境を確保することができる。
【００４０】
また、電線２００をカメラ２０やスマートフォン３０に近接するだけでよいので、既存のカメラ２０またはスマートフォン３０をそのまま使用することができ、通信環境を確保するための特別な改造を行わなくてもよい。
【００４１】
（実施の形態２）
本発明の実施の形態２に係る棒状支持用部材を備えた無線通信用補助具の一例により、カメラを操作する水中撮影用器具を、図面に基づいて説明する。なお、図６、図７において、図１と同じ構成のものは同符号を付して説明を省略する。水中撮影用器具は、カメラを陸上等から操作する際に使用されるものである。
【００４２】
従来では、水中でのカメラ撮影は、撮影者がカメラと共に水中に潜水して用いるか、水上または陸上から遠隔操作により行っていた。水中に沈めたカメラを遠隔操作できるものとして、特許文献２に記載されたものが知られている。また、水中で撮影可能なものとして、特許文献３に記載されたものが知られている。
【００４３】
特許文献２に記載の吊り下げ型無線テレビカメラは、下面を透明窓とした水密構造のコンテナ内に、下向きのテレビカメラとその電源及び該テレビカメラでの画像信号を無線発信する回路を内蔵し、無線発信するための送信アンテナとして偏平なフィーダー線を無線発信する回路に接続し、且つ該フィーダー線で該コンテナを長さ自在に吊り下げるというものである。
【００４４】
特許文献３に記載のカメラシステム及び防水ハウジングは、防水ハウジングの操作スイッチの操作状態に応じてスイッチ検出部から操作状態信号が無線送信部に出力されと、無線送信部がアンテナを介して無線通信アダプタに操作状態信号を無線送信し、無線通信アダプタが、受信した操作状態信号を、コネクタを介してカメラ本体に転送し、カメラ本体内部の制御部が、コネクタを介して入力された操作状態信号に基づいて各種制御を実行するというものである。
【００４５】
しかし、特許文献２に記載の吊り下げ型無線テレビカメラでは、無線発信する回路に接続されたフィーダー線がアンテナに接続されているので、この技術を既存のカメラに適用するには、既存のカメラの筐体に貫通孔を設けて、電線を接続する必要があるため、適用が困難である。また、アンテナに直接フィーダー線を接続すると、フィーダー線の長さと、無線信号の波長との関係から、無線通信に支障が生じるおそれがある。
また、特許文献３に記載のカメラシステム及び防水ハウジングでは、防水ハウジング内部で無線通信するもので、遠隔操作できるものではない。
【００４６】
そこで、無線信号が伝搬しにくい水中に所在する無線操作可能なカメラを、大きく変更することなく、水上または陸上から無線操作することが可能な水中撮影用器具が望まれている。
【００４７】
図６に示す水中撮影用器具１００は、水中撮影用のハウジング１０に収納された第１の無線通信装置であるカメラ２０を、陸上や水上などから、第２の無線通信装置である操作装置のスマートフォン３０にて、操作するときに、使用されるものである。また、図７は、ハウジング１０に、電線２００を取り付ける具体的な構造を示すものであり、特に接続用部材３００を介した接続を説明するためのものである。
【００４８】
水中撮影用器具１００は、ハウジング１０とカメラ２０との間に配線される電線２００と、電線２００の第１の端部２０１をハウジング１０に接続する接続用部材３００と、棒状支持用部材であるロッド４００とを備えている。
電線２００には、同軸ケーブルを用いている。図７に示すように、電線２００は、導線部２１０と、被覆部２２０とを備えている。導線部２１０は、芯線２１１と、芯線２１１と対をなす網状線２１２とから構成されている。被覆部２２０は、芯線２１１を覆う内部絶縁体２２１と、網状線２１２を覆う外皮絶縁体２２２とから構成されている。
【００４９】
図６に示すように、接続用部材３００は、電線２００の第１の端部２０１を、水密状態で、かつカメラ２０のアンテナと非接触状態でハウジング１０に配置するものである。接続用部材３００は、樹脂製である。また、図７に示すように接続用部材３００は、第１部分３１０と、第２部分３２０と、固定用部材３３０とを備えている。
【００５０】
第１部分３１０は、ハウジング１０の側面に密着した状態で接続される。第１部分３１０は、細長の直方体状に形成されている。第１部分３１０には、被覆部２２０から露出した芯線２１１が内部に収納される細長の第１空間３１１が形成されている。ハウジング１０への接続は、ハウジング１０と、第１部分３１０および第２部分３２０とを一体成形してもよい。ハウジング１０と、第１部分３１０および第２部分３２０とを一体成形した場合には、水中撮影用器具１００は、水中撮影用器具１００付きのハウジング１０として販売することができる。
【００５１】
また、ハウジング１０が市販されているような既存のものであるときには、第１部分３１０を、ハウジング１０に溶着させたり、接着材や両面テープなどで貼り付けたり、ねじ止めしたりすることができる。
また、ハウジング１０にスロットを設け、接続用部材の第１部分に板状突起を形成して、板状突起をスライドさせて、スロットに嵌め込み、接続用部材をハウジングに固定するようにしてもよい。なお、カメラを水中で用いない場合のようにハウジング１０を用いない場合、この接続用部材３００の第一部分３１０を接着材や両面テープなどで直接カメラ２０に貼りつけることで、接続用部材３００を電線２００の第１の端部２０１と、第１の無線通信装置とを保持する保持部材としてもよい。
【００５２】
第２部分３２０には、芯線２１１以外の軸太部分である内部絶縁体２２１，網状線２１２および外皮絶縁体２２２が収納される第２空間３２１が形成されている。また、固定用部材３３０のための雄ねじ面３２２が形成されている。
固定用部材３３０は、電線２００を水密に第２部分３２０に固定するためのものである。固定用部材３３０は、電線２００が挿通され、雄ねじ面３２２にねじ込まれる第１ナット３３１および第２ナット３３２と、電線２００に巻き付けられた、または挿通させたパッキン部３３３を備えている。パッキン部３３３は、第２ナット３３２の内周面と電線２００の外周面との隙間を塞ぎ、水密性を確保するものである。
【００５３】
図６および図８に示すように、電線２００の第１の端部２０１の反対側である第２の端部２０２は、スマートフォン３０に近接して配置される。電線２００の第２の端部２０２は、芯線２１１を被覆した内部絶縁体２２１を、外皮絶縁体２２２と網状線２１２とから露出した状態に形成されている。従って、芯線２１１は内部絶縁体２２１により被覆されたままであり、網状線２１２は外皮絶縁体２２２被覆されたままとすることができる。
【００５４】
電線２００の第２の端部２０２は、スマートフォン３０側に配置されていればよいため、外皮絶縁体２２２が全体を被覆した同軸ケーブルを切断したままの状態であったり、内部絶縁体２２１から芯線２１１が露出した状態であったりしてもよい。しかし、芯線２１１を保護するためには、芯線２１１は内部絶縁体２２１に覆われた状態とすることが望ましい。
【００５５】
また、図６において、防磁ケース６０には、第２コネクタ６０１と、第３コネクタ６０２が設けられている。この第２コネクタ６０１は、防磁ケース６０内のスマートフォン３０が有する第１コネクタ（図示せず）に嵌合する。また、第３コネクタ６０２は、第２コネクタ６０１と導通しており、電線２００の第２の端部２０２が嵌合する。これにより、スマートフォン３０を防磁ケース内に安定して配置されつつ、スマートフォン３０と、電線２００の第２の端部２０２が実質的にケースの内外にあってもこれらのコネクタにより選択的に安定して通信する。
【００５６】
この第２の端部２０２は、防磁ケース６０に前述のように第３のコネクタに嵌合されている。この保持は、この実施形態以外にも、単に第２の端部２０２を防磁ケース６０に貼りつけてもよいし、防磁ケースに第２の端部２０２のためのコネクタを適宜設けてもよい。このとき、防磁ケースの内部との通信が速やかに行える位置に配置されるように保持したほうがよく、例えば、防磁ケースの内部に貫通して保持させたり、嵌合用のコネクタを防磁ケース内部と通信しやすいように導通させておくこともできる。
【００５７】
図６に示すように、ロッド４００は、段階的に伸縮するロッド本体４１０と、ハウジング１０を取り付けたり、カメラ２０を直接取り付けたりすることができる取付台４２０とを備えている。また、電線２００がロッド４００の動きに追随しやすいようにロッド用の保持部材４３０により所定の間隔で、電線２００を保持させた構成である。この保持部材４３０は、電線２００を保持できればよく、様々な形状なものが採用できる。例えば、電線２００を挿通させて配置するものや、一対の爪部の間の空間に電線２００を収納して挟み込むクリップ式のものとすることができる。
【００５８】
次に、ハウジング１０について説明する。
図６に示すハウジング１０は、カメラ２０を水中でも安全に使用できるように水密性を有している。ハウジング１０は、内部のカメラ２０の状態が外部から視認しやすいように透明樹脂により形成されている。ハウジング１０は、カメラ２０を内部に収納するために、カメラ２０の外形に適合した収納空間が形成されている。
【００５９】
以上のように構成された本発明の実施の形態２に係る水中撮影用器具１００における使用状態について、図面に基づいて説明する。
図６に示すように、撮影者は、カメラ２０が収納されたハウジング１０をロッド４００の取付台４２０に取り付け、ロッド本体４１０を適当な長さに調整した後、ロッド４００の基端部を持って、先端部のカメラ２０を水中に浸漬する。
次に、撮影者は、実施の形態１にて、図４および図５を用いて説明したようにして、スマートフォン３０によりカメラ２０を操作して撮影する。
【００６０】
このとき、カメラ２０は近接して配置されている第１の端部２０１から電線２００を介する通信装置と選択的に通信しやすくなり、スマートフォン３０は防磁ケース内にあり他の混信が少なく、かつ近接して配置されている第２の端部２０２から電線２００を介する通信装置と選択的に通信しやすくなっている。よって、スマートフォン３０からカメラ２０までの間の通信路は、通常の無線通信である空中での通信に頼る必要性がなく、電線２００を通信路として無線信号が伝搬するため、スマートフォン３０とカメラ２０との間での無線信号は、大幅な減衰を伴うことなく、安定して通信することができる。
【００６１】
また、接続用部材３００は、ハウジング１０の外側面に接触するように配置されている。そのため、既存のハウジング１０であっても、ハウジング１０の外側面に接続用部材３００を接着したり、溶着したりするなどして、接続用部材３００をハウジング１０に接続すればよいので、容易に、接続用部材３００をハウジング１０に設けることができる。
また、接続用部材３００は、電線２００の被覆部２２０から露出した芯線２１１を収納して水密状態にしているため、ハウジング１０と電線２００との間に水を介在させることなく、電線２００をハウジング１０の近接した位置に配置することができる。
【００６２】
従って、水中撮影用器具１００をカメラ２０とスマートフォン３０との間に介在させることで、水中での撮影には不向きな無線操作可能なカメラ２０を大きく変更することなく、ハウジング１０に収納して水中で撮影することができる。
【００６３】
更に、図７に示すように、電線２００が同軸ケーブルによって形成されているため、網状線２１２が通信路となる芯線２１１を外来ノイズから保護するシールドとして機能する。従って、電線２００は高品質な通信を確保することができる。
【００６４】
本実施の形態２では、図６に示すように、ハウジング１０はロッド４００の先端に取り付けられていたが、接続用部材３００とハウジング１０との接続強度、電線２００の強度が十分であれば、ロッド４００を使わずに、電線２００によりカメラ２０を収納したハウジング１０を直接吊り下げてもよい。
また、ロッド４００は伸縮するものであるが、ハウジング１０が先端部に取り付けられる取付台４２０を備えていれば、棒状支持用部材は、複数のパーツに分離するものであったり、伸縮できないものであったりしてもよい。
【００６５】
（その他の実施形態）
以上、本発明の実施の形態１、２を説明したが、本発明は上記実施の形態１、２に限定されるものではない。例えば、適宜、以下のような変更が可能である。
【００６６】
第２の実施形態に係る図６においては、ハウジング１０へ接続用部材３００を介して、電線２００の第１の端部を近接させるように配置させる保持を行った。この第１の端部を近接させて保持する構成としては、電線２００の第１の端部２０１をハウジング１０を貫通して、ハウジング１０内の空間に電線２００を突出させてもよい。または、電線２００の第１の端部２０１がハウジング１０に埋入させてもよい。
【００６７】
スマートフォン３０（図１参照）側に配置される電線２００の第２の端部２０２が保持される防磁ケース６０には、スマートフォン３０のイヤホンジャック（第１コネクタ）に嵌合するイヤホンプラグ（第２コネクタ）が設けられたものとしてもよい。このとき、第２コネクタは、さらに第２の端部２０２が嵌合される第３コネクタと導通状態とすることが好ましい。
【００６８】
従って、イヤホンプラグ（第２コネクタ）をスマートフォン３０のイヤホンジャック（第１コネクタ）に嵌合させると、第３コネクタを介して電線２００の第２の端部２０２側の導線部２１０はスマートフォン３０の音声出力回路に接続される。そして、スマートフォン３０によりカメラ２０を操作しているときは、スマートフォン３０は、音声出力しておらず、電線２００による無線信号の伝搬も微小電力である。そのため、イヤホンプラグに導線部２１０が導通状態であっても、音声出力回路に悪影響を及ぼさない。
【００６９】
また、スマートフォン３０のイヤホンジャックに接続された音声出力回路の信号線に、導線部２１０からの無線信号が伝搬する。そのため、スマートフォン３０のアンテナにより近い位置へ導線部２１０からの無線信号を伝搬させることができるので、更に、通信品質を向上させることができる。
【００７０】
また、イヤホンプラグをイヤホンジャックに嵌合させることで、電線２００の第２の端部２０２がスマートフォン３０に固定される。そのため、電線２００の第２の端部２０２を安定させることができる。また、電線２００の第２の端部２０２をスマートフォン３０に接近させて配置することができる。
【００７１】
また、図６のハウジング１０に電磁波シールドを備えさせることにより、陸上でも良好に無線通信できるようにしたものとすることもできる。ハウジング１０の電磁波シールドは、ハウジング１０にカメラを収納したときにカメラのレンズが位置する撮影用窓部を除いた内側面に設けた防磁層である。
この防磁層は、銀コートされた銅粉を吹き付けることにより形成することができる。銀コートされた銅粉は、電磁波シールド材として販売されているものが使用できる。また、撮影用窓部には、透明の電磁波シールドフィルムを貼ることもできる。更に、撮影用窓部に電磁波シールドフィルムを貼るだけでなく、撮影用窓部以外にも、電磁波シールドフィルムを貼って、防磁層とすることも可能である。防磁層には、金属メッシュをハウジング１０に設けることも可能である。
【００７２】
防磁層がカメラを囲うことで、防磁層が電波を遮断する。このとき、防磁層が囲う内部空間に電線２００の芯線２１１を露出させるなどの構成として、電線からの通信のみは安定してカメラと通信するものとする。そうすることで、カメラへの電線２００を通じて伝送される無線信号以外の無線信号は、ハウジング１０に形成された防磁層が遮断する。従って、この水中撮影用器具を空中で使用しても、カメラとスマートフォンとの間の無線通信は、他の無線信号に妨害されずに通信を行うことができる。よって、防磁層を備えたハウジング１０は、水中でも、空中でも、更に、良好な通信環境を確保することができる。
【００７３】
実施の形態１では、図１に示すように、第１の無線通信装置をカメラ２０、第２の無線通信装置をスマートフォン３０として説明したが、第１の無線通信装置をプリンタやビデオカメラ、その他の無線通信装置とすることができる。また、第２の無線通信装置をタブレット型コンピュータ、ノートブック型コンピュータとすることができる。更に、無線通信用補助具は、第１の無線通信装置および第２の無線通信装置同士が遠く離れた位置にあっても良好な無線環境を提供できるので、工事現場に設置され、業務に適した専用の無線通信装置とすることもできる。
【００７４】
また、実施の形態２においては、ハウジング１０は水密性を有していたが、陸上または空中のみで使用するときには、ハウジング１０に水密性が無くてもよい。カメラ２０がハウジング１０に収納されていることで、カメラ２０をハウジング１０により、塵や埃、他の物の衝突による傷から保護することができる。また、ハウジング１０に収納した状態のカメラ２０をロッド４００の先端に取り付けることができる。
一方、本発明の無線通信用補助具を陸上または空中のみで使用するときには、ハウジング１０を使用せず、カメラ２０を、棒状支持用部材であるロッド４００に直接取り付けるようにしてもよい。
【００７５】
更に、実施の形態２においては、無線信号は、スマートフォン３０とカメラ２０との間の通信に使用されていた。しかし、ハウジング内に設置された雲台にカメラ２０を取り付けた場合、雲台にカメラ２０の撮影方向の俯仰角を変更するモーターを設ければ、水中撮影用器具１００の電線２００は、このモーターを駆動するための無線信号を伝送する通信路としても機能させることができる。
このとき、雲台の俯仰角の変更は、モーターが無線操作可能なものであれば、カメラ２０と同様に、電線を介して操作装置から無線信号により操作することができる。また、モーターが無線操作できないものであれば、カメラ２０を操作する無線信号を伝搬させる電線と、モーターを操作する有線信号を伝搬させる電線とが１本に構成された電線を使用するのが望ましい。
【００７６】
また、スマートフォン３０のイヤホンジャックを第１コネクタとし、第２コネクタとしてイヤホンプラグを、電線２００の第２の端部２０２や、防磁ケース６０に設けてもよい。スマートフォン３０が備える、ＵＳＢコネクタなどの他のコネクタを、第１コネクタとして利用してもよい。例えば、操作装置がタブレット型端末装置やノートブック型パーソナルコンピュータなどの携帯用端末装置であれば、電源プラグやモニタ接続用コネクタ、ＬＡＮ用コネクタを利用してもよい。すなわち、第二の無線通信装置となる装置が有するコネクタを適宜第１コネクタとして利用でき、第２コネクタはこれらのコネクタに嵌合できるものであればよい。
【００７７】
更に、電線２００は同軸ケーブルを用いて説明したが、単線や撚線、平行線などあらゆる電線が使用できる。
【００７８】
この水中撮影用器具を用いれば、従来水中では十分に使用できなかった無線通信可能なカメラを特別な改造等を行うことなく水中で使用することができるので、個人が行う趣味の魚の撮影や海底の撮影だけでなく、企業が行う営業的な調査・探索などにも使用することができる。
【産業上の利用可能性】
【００７９】
本発明の無線通信用補助具は、第１の無線通信装置と、第２の無線通信装置とが、離れた位置で通信する様々な状況に使用することができる。特に、数多くの無線通信装置が同じ周波数帯域で無線通信している環境に好適である。
【符号の説明】
【００８０】
１  無線通信用補助具
１００  水中撮影用器具
２００  電線
２０１  第１の端部
２０２  第２の端部
２１０  導線部
２１１  芯線
２１２  網状線
２２０  被覆部
２２１  内部絶縁体
２２２  外皮絶縁体
３００  接続用部材
３１０  第１部分
３１１  第１空間
３１２  側面
３２０  第２部分
３２１  第２空間
３２２  雄ねじ面
３３０  固定用部材
３３１  第１ナット
３３２  第２ナット
３３３  パッキン部
３４０  チューブ
４００  ロッド
４１０  ロッド本体
４２０  取付台
４３０  保持部材
６０１  第２コネクタ
６０２  第３コネクタ
１０  ハウジング
２０  カメラ
３０  スマートフォン
３１  操作画面
３２  ショートカットアイコン
３３  ファインダー
３４  シャッターボタン
６０  防磁ケース
７１、７２、７３  ルーター
【図１】
2018014665.tif 000003
【図２】
2018014665.tif 000004
【図３】
2018014665.tif 000005
【図４】
2018014665.tif 000006
【図５】
2018014665.tif 000007
【図６】
2018014665.tif 000008
【図７】
2018014665.tif 000009
【図８】
2018014665.tif 000010